(57)【要約】      （修正有）【課題】過酷な環境でも使用可能な耐久性の高いトレサビリティラベルを提供する。【解決手段】ＦＲＰ積層材やペイントなど液状樹脂中に内挿する非接触通信で電子情報の書き込み読み取り可能なＩＣチップを印刷可能な布状基材にホットメルト接合して、液状樹脂の塗り込みと硬化により特定の塗り込まれた商品のトレサビリティを可能とする。【選択図】図１
2016004083.tif 000002
【特許請求の範囲】
【請求項１】
液状樹脂に溶解されないフィルム梱包された非接触ICチップを、樹脂内積層に適合する含浸可能で表面印刷可能な繊維布状の用紙背面にホットメルトなど接着剤を塗布してなる面に張り付け、離型可能なパラフィン紙などの面にホットメルト仮接着したことを特徴とする液状樹脂含浸型のトレサビリティラベル。
【請求項２】
上記ラベルに合って、通信周波数が13.56MHzの非接触近接通信の随時書き込み読み取り可能なICチップに書き込み変更できない固有の特定登録分類番号と目的商品名を特定する少なくとも6桁以上32桁以下の数値番号を書き込み変更できない登録を行ったICチップと、光学判読バーコードと文字表示の登録3種の情報を持つ表面に防水と耐光性フィルムなど膜面を持たせて耐久性を確保し目的の商品トレサビリティを可能にすることを特徴とするラベル。
【発明の詳細な説明】
【技術分野】
【０００１】
油井用の高圧管技術標準化委員会（GPI）の基本は、GPI公開技術標準を適用すれば、１００MPaまでの高圧管の製品設計・製造・検査・保証ができると定め、その情報媒体にトレサビリティラベルを用いる必要性が示された。
本発明は、例えば設計基準・試験評価法を適用した、管の設計・製作を行い、品質・性能評価を標準試験法を用いて破壊試験による製品設計技術確認してなる品種別性能保証情報と、原材料の品質管理情報・管の生産情報・非破壊試験検査結果情報からなる完全なる品質管理保証情報を出荷製品に長期間保持するための方法として、”個別製品にトレサビリティ検索ラベルを管の内部に埋め込ませ”、インターネット接続検索により、第３者機関による（GPI12年間）有効な品質保証に係るデータ保管を可能にするためのラベルに関するものである。
【背景技術】
【０００２】
商品の品質に係る履歴をユーザに開示して品質に係る信頼性の向上を行う管理法は”トレサビリティ”と呼ばれ、国際標準となりつつある。この管理情報媒体には、随時書き込み可能な文字表示の看板方式から、インターネットによる生産者が商品トレサビリティ情報の提供に至る発展経過がある。
【０００３】
特に、食品と並ぶ重要な工業製品についての品質重視の思考は、個別の製品に対するトレサビリティの表示要求に至り、さらに重要な油井分野に使用される高圧管などは、事故が発生するとメキシコ湾での油井管の破裂事故で約1兆円の損害がでるなどから、製品の性能保証に係るトレサビリティにユーザ使用管理を付加した一貫した管理体制が望まれるようになった。
【０００４】
さらに、多量の電子情報を電位で記憶するセミコンダクタの発達は、小型のエッチングフィルムアンテナとの接合（以下、ICチップと呼ぶ）で、非接触の高速電子情報の通信・記憶媒体としての機能を持つに至る。一方光学的読み取り手法のバーコードは一次元から２次元に至る情報量の増加を可能にするに至る。
【０００５】
これら２種の電子媒体情報をラベルに保持して、必要な文字情報を印刷して、目視による商品特定と最小限の管理情報を与え、普及したスマートホンの付属機能を用いて、ICチップとの通信及びバーコード情報を用いて、インターネットによるトレサビリティを可能にして、必要年数情報の保証保管サービスを行うサーバを利用することで、これらの要請を可能にする発明を試みた。
【先行技術文献】
【非特許文献】
【０００６】
【非特許文献１】西野義則、田村進一著  「GPI規格制定に向けて‐世界規格のe‐ビジネス化」グローバル経営学会  第３回シンポジウム  グローバル経営とものづくり  ｐｐ．８７−１０６  ２０１３年３月２日
【発明の概要】
【発明が解決しようとする課題】
【０００７】
液状樹脂に含浸可能なICチップ内装のバーコードと文字情報をプリントして、樹脂中または表面トップコートとなるフィルムバッグしてなるトレサビリティラベルは、液状樹脂に対するICチップの膨潤対策と液状樹脂の加熱硬化による耐熱性対策、さらにバーコードや文字のプリントと印刷可能で印刷インクの浸食、これらの能率的な製品内部への保管方法について解決を必要とした。
【０００８】
さらに、管体は最大地下7000ｍもの特殊環境の油井に使用され、深層でpH2以下ともなる酸性の土壌で50〜150℃に至る高温・絶対圧で最大100MPaもの高圧で長期間使用される。このような使用環境条件での使用履歴を定期間使用後の製品にトレサビリティ可能ICチップを貼ることで、製品の再使用に際しての有効判定に必要。
【課題を解決するための手段】
【０００９】
図１に示すように、文字判読の必要な最低30ｍｍ＊30ｍｍ以上の大きさを持ち（GPI用途は105＊99ｍｍ）、文字と必要なバーコード表示を行い、図２に示す印刷可能なガラス布表面にマットバインダを散布して表面を加熱加工して接着可能な機材を得る。
さらに、製造したガラス基材を印刷可能な例えばシランカップリング剤など表面処理して、必要幅にカットしてホットメルトテープ状に加工してホットメルトテープを製作する。ここで、使用するガラス基材は電子機材のG75、E225、Dグレードの布またはテトロン材のサーフェイスマットも適用できる。ただし、プリントインクは水溶性が液状樹脂との滲み防止に適することから、油性材料などの機材表面処理剤を使用しない。
【００１０】
高圧管など使用する強化ガラス繊維表面にホットメルト接合できる必要な接着剤は例えば、飽和ポリエステルなどからなるホットメルト効果と樹脂に溶解して、硬化樹脂の劣化とならない材料であるパウダーマットバインダを使用する。その使用量は最大10％wtで、離型可能なパラフィン紙３上に２を指定箇所に、１の接着面を下にして積層、図４に示すホットメルト接着剤が溶解して目的の１と２の接合及び３との仮接合を得るために、加圧・加熱を行い、トレサビリティラベル４ができる。
【発明の効果】
【００１１】
液状樹脂に溶解されないフィルム梱包された近接ICチップを樹脂内積層に適合する含浸可能で表面印刷可能な繊維布状の用紙背面にホットメルトなど接着剤を塗布してなる面にICチップを張り付け、離型可能なパラフィン紙などの面にホットメルト仮接着したことで、FRPなど積層表面樹脂内に電子情報媒体と光学バーコード情報媒体に文字情報媒体を持つ、トレサビリティラベルが得られる。
【００１２】
特にラベルに使用されるICチップは、通信周波数が13.56MHzの非接触近接通信の随時書き込み読み取り可能で、書き込み変更できない固有の特定登録分類番号と目的商品名を特定する少なくとも6桁以上32桁以下の数値番号を書き込み変更できない登録を使用前に行い、ICチップと、光学判読バーコードと文字表示の登録3種の情報を併せ持ち、情報保管の信頼性が保てる対策とする。さらに、地下など過酷な環境に耐えられずに３種の情報媒体の２種が機能不全になっても、バーコード、文字情報など併用から必要情報の保持がはかられる。
【図面の簡単な説明】
【００１３】
【図１】図１は発明したトレサビリティラベルの例。
【図２】図２はトレサビリティラベルのガラス基材の作り方説明図。（実施例１）
【図３】図３はトレサビリティラベルの製作組立図。（実施例２）
【図４】図４はトレサビリティラベルの加熱プレス成型図。
【発明を実施するための形態】
【００１４】
ラベルの大きさが約100ｍｍ角であって、ICチップはアンテナ含む径約25ｍｍを選択して、A4の用紙サイズガラス基材はE225ガラスクロス布などか、印刷用の約20g/平方メートルのサーフェイシングマットを使用して、PET系のホットメルトバインダを使用したパラフィン紙に6枚仮接着で印刷可能な用紙を作り、水溶性のインクジェットプリンターにより目的の表示情報をプリントして、そのプリントされた情報を読み取り、インターネット回線に接続して登録ICチップ番号との照合と、目的製品番号の不滅登録を行い、目的製品の検査終了後に貼り付け、インターネットによるトレサビリティ情報入力を重ねて行うトレサビリティラベルができる。
【実施例１】
【００１５】
図２の実施例は、図２に示す印刷可能なガラス布表面にマットバインダを散布して表面をホットメルト130℃加熱加工して接着可能な機材を得る。使用するホットメルト材は約５％が適当である。
【実施例２】
【００１６】
図３の実施例は、テープから短冊にラベルサイズに切断されたガラス基材のラベル紙１と、コロナ放電など接着可能な表面処理を施したフィルムでサンドイッチして溶着封入処理されたICチップ２は、目的の対樹脂の熔材に対しての膨潤防止と防水効果を持たせることと、積層樹脂との接着接合力を得て高圧力と高温で生じるセミコンダクタとアンテナ金属との接点の熱歪や荷重による歪からのせん断剥離の防止を図るためにフイルムサンドする。
そして樹脂中に作用するせん断力の緩和を図るためのラベル紙１は印刷可能な表面処理をしたガラス繊維布で、液状樹脂の不飽和ポリエステル、エポキシ、ウレタン、アクリルなど熱硬化型液状樹脂や溶剤希釈型のペイント樹脂などと一体化できるシランカップリング剤などからなる表面処理を施す。
【産業上の利用可能性】
【００１７】
FRP高圧管以外への応用可能なのは、輸送容器のドラム缶ベースの材料のトレサビリティから、パレットに張り付けると貨物のトレサビリティの管理に使用できる。この場合は表面に防水と耐光性が必要となる場合はフィルムなど膜面を持たせて耐久性を確保し目的の商品トレサビリティを可能にする。
【符号の説明】
【００１８】
G75、E225、D    ガラス繊維機材の規格分類名を表す。
FRP    繊維強化プラスチック。
MPa  メガパスカル（圧力単位）
IC    電子集積回路
pH2    化学の酸性濃度表示記号。
PET    ポリエステル樹脂を示す。
GPI    耐食高圧FRP管の技術標準化委員会基準を示す。
【図１】
2016004083.tif 000003
【図２】
2016004083.tif 000004
【図３】
2016004083.tif 000005
【図４】
2016004083.tif 000006